(57)【特許請求の範囲】
【請求項１】
腰回り方向に閉じた腰部開口部（１８）を備える横方向または腰回り方向（１６）に連続した腹部ベルトと背中ベルトを形成するために両側の横継目領域（１４）のところで製造者側で相互に結合された前側の腹部区域（４）および後側の背中区域（６）と、前記腹部区域（４）と前記背中区域（６）の間で縦方向（９）に延び、前記腹部区域（４）および前記背中区域（６）に取外し不能に接合された、吸収体（７）を有する股区域（８）とからなると共に、前記前側の腹部区域（４）および前記後側の背中区域（６）は、前記股区域（８）によって橋渡しされると共に互いに縦方向（９）に分離している、身体の排泄物を受容するためのパンツ型の失禁用品（２）において、前記股区域（８）と前記腹部区域（４）と前記背中区域（６）はいずれも失禁用品の足開口部（１９）を区切っており、前記腹部区域（４）および前記背中区域（６）はそのために横方向または腰回り方向（１６）とは異なる、前記股区域（８）の横中心軸（３０）に向かう方向で終わる縁部輪郭（３２、３４）を前記足開口部（１９）の区切りのために有しており、前記腹部区域（４）および前記背中区域（６）には第１の弾性化手段（２８）が設けられており、前記弾性化手段は相互に間隔をおきながら互いに平行に横方向または腰回り方向（１６）に延びており、そのようにして前記腹部区域（４）および前記背中区域（６）を面状に弾性化しており、前記腹部区域（４）および前記背中区域（６）の前記足開口部（１９）のほうを向く股側の領域（２２、２６）には第２の弾性化手段（４０、４２）が設けられており、前記弾性化手段は両方の前記横継目領域（１４）を起点として前記失禁用品の縦中心軸（４４）に向かう方向に延びており、その際に相互間隔を増しながら円弧状に広がるように延びており、前記第２の弾性化手段（４０、４２）が広がりながら延びている前記腹部区域（４）および前記背中区域（６）の前記領域（２２、２６）では前記領域（２２、２６）が面状に伸張したときに生じる復帰力が前記股区域（８）に向かう方向（５６）で低減していき、
前記第２の弾性化手段（４０、４２）は前記股区域（８）の前記吸収体（７）との重なり合い領域（３６、３８）においてその弾性特性に関して無効化されている
ことを特徴とする失禁用品。
【請求項２】
前記第２の弾性化手段（４０、４２）が広がりながら延びている前記腹部区域（４）および前記背中区域（６）の前記領域では、前記股区域（８）に向かう方向（５６）で横方向１ｃｍあたりの数が減少していく折り目（５４）が形成されることを特徴とする請求項１に記載の失禁用品。
【請求項３】
前記第２の弾性化手段（４０、４２）の最小の相互間隔は前記横継目領域（１４）において３〜８ｍｍであることを特徴とする請求項１または２に記載の失禁用品。
【請求項４】
前記第２の弾性化手段（４０、４２）の最大の相互間隔は吸収体縁部（４６）のところで、または前記股区域（８）の縦縁部（４８）のところで７〜３５ｍｍであることを特徴とする請求項１〜請求項３の何れか１項に記載の失禁用品。
【請求項５】
前記第２の弾性化手段（４０、４２）は５０〜９００％の広がり度（Ｆ＝（Ａ−Ｂ）／Ｂ＊１００％）を有していることを特徴とする請求項１〜４のうちいずれか一項に記載の失禁用品。
【請求項６】
前記第２の弾性化手段（４０、４２）の広がり度（Ｆ＝（Ａ−Ｂ）／Ｂ＊１００％）は前記背中区域（６）において前記腹部区域（４）よりも大きいことを特徴とする請求項５に記載の失禁用品。
【請求項７】
前記第２の弾性化手段（４０、４２）の最大の相互間隔は前記吸収体縁部（４６）のところで、または前記股区域（８）の前記縦縁部（４８）のところで、前記背中区域（６）のほうが前記腹部区域（４）よりも大きいことを特徴とする請求項１〜請求項６のうちいずれか一項に記載の失禁用品。
【請求項８】
前記第２の弾性化手段（４０、４２）はその広がりながら延びる経路に応じて広がらない領域よりも強く初期応力をかけられていることを特徴とする請求項１〜請求項７のうちいずれか一項に記載の失禁用品。
【請求項９】
股のほうを向く前記腹部区域（４）のもっとも内側の前記第２の弾性化手段（４０、４２）と、これに対応して股のほうを向く前記背中区域（６）のもっとも内側の前記第２の弾性化手段（４０、４２）との間隔（Ｃ）は２５０〜４２０ｍｍであることを特徴とする請求項１〜請求項８のうちいずれか一項に記載の失禁用品。
【請求項１０】
股のほうを向くもっとも内側の前記第２の弾性化手段（４０、４２）と、前記腹部区域（４）および前記背中区域（６）の前記足開口部のほうを向く股側の前記領域（２２、２６）の、前記足開口部を区切っている縁部輪郭（３２、３４)との間隔は２〜４０ｍｍで
あることを特徴とする請求項１〜請求項９のうちいずれか一項に記載の失禁用品。
【請求項１１】
前記横継目領域(１４）における前記腹部区域（４）および前記背中区域（６）の縦方
向（９）の長さは少なくとも１００ｍｍであることを特徴とする請求項１〜請求項１０のうちいずれか一項に記載の失禁用品。
【請求項１２】
縦方向（９）における前記腹部区域（４）と前記背中区域（６）の相互の最小間隔は２５０〜４００ｍｍであることを特徴とする請求項１〜請求項１１のうちいずれか一項に記載の失禁用品。
【請求項１３】
横方向（１６）における前記股区域（８）の最大の長さは２００〜３５０ｍｍであることを特徴とする請求項１〜請求項１２のうちいずれか一項に記載の失禁用品。
【請求項１４】
前記股区域（８）は液体不透過性のバックシート材料（６２）と不織布トップシート材料（６４）を含んでおり、これらの間に前記吸収体（７）が配置されていることを特徴とする請求項１〜請求項１３のうちいずれか一項に記載の失禁用品。
【請求項１５】
前記股区域（８）は液体不透過性のバックシート材料（６２）とトップシート材料（６４）を含んでおり、これらの間に前記吸収体（７）が配置されており、前記バックシート材料（６２）および前記トップシート材料（６４）の少なくとも一方は横方向（１６）で前記吸収体（７）から突き出すオーバーハング（６６）を形成しており、前記オーバーハング（６６）は、前記吸収体の両側の合計で、すなわち左と右の合計で、前記股区域（８）の最大幅に対して少なくとも２５％であることを特徴とする請求項１〜請求項１４のうちいずれか一項に記載の失禁用品。
【請求項１６】
前記股区域（８）は前記吸収体（７）の外部で前記足開口部（１９）に沿って延びる足弾性化手段（８２）を有しており、前記足弾性化手段は縦方向（９）で少なくとも１０ｍｍだけ前記第２の弾性化手段（４０、４２）の手前で終わっていることを特徴とする請求項１〜請求項１５のうちいずれか一項に記載の失禁用品。
【請求項１７】
前記足弾性化手段（８２）は縦方向（９）で前記腹部区域（４）および前記背中区域（６）の少なくとも一方よりも手前で終わっていることを特徴とする請求項１６に記載の失禁用品。
【請求項１８】
前記腹部区域（４）および前記背中区域（６）は少なくとも前記吸収体（７）の外部で縦方向（９）へ実質的に連続して面状に横弾性化されていることを特徴とする請求項１〜請求項１７のうちいずれか一項に記載の失禁用品。
【請求項１９】
前記失禁用品の面積全体に占める前記股区域（８）の面積割合は２５〜５５％であり、前記股区域（８）は前記腹部区域（４）の面積の少なくとも１２％と重なり合うとともに、前記背中区域（６）の面積の少なくとも２０％と重なり合っている（面積割合は図１に示すようにシャシー材料を展開した状態でそれぞれ計測される）ことを特徴とする請求項１〜請求項１８のうちいずれか一項に記載の失禁用品。
【請求項２０】
前記股区域（８）は前記腹部区域（４）の面積の１５〜４０％と重なり合っていることを特徴とする請求項１〜請求項１９のうちいずれか一項に記載の失禁用品。
【請求項２１】
前記股区域（８）は２５，０００〜４５，０００ｍｍ２の面積で前記腹部区域（４）と重なり合っていることを特徴とする請求項１〜請求項２０のうちいずれか一項に記載の失禁用品。
【請求項２２】
前記股区域（８）は前記背中区域（６）の面積の２０〜４０％と重なり合っていることを特徴とする請求項１〜請求項２１のうちいずれか一項に記載の失禁用品。
【請求項２３】
前記股区域（８）は３５，０００〜６５，０００ｍｍ２の面積で前記背中区域（６）と重なり合っていることを特徴とする請求項１〜請求項２２のうちいずれか一項に記載の失禁用品。
【請求項２４】
前記股区域（８）と前記背中区域（６）との重なり合いは前記腹部区域（４）との重なり合いよりも大きいことを特徴とする請求項１〜請求項２３のうちいずれか一項に記載の失禁用品。
【請求項２５】
前記吸収体（７）も前記腹部区域（４）の面積の５〜２０％および前記背中区域（６）の面積の１０〜２０％の少なくとも一方と重なり合っていることを特徴とする請求項１〜請求項２４のうちいずれか一項に記載の失禁用品。
【発明の詳細な説明】
【技術分野】
【０００１】
本発明は、腰回り方向に閉じた腰部開口部を備える横方向または腰回り方向に連続した腹部ベルトと背中ベルトを形成するために両側の横継目領域のところで製造者側で相互に結合された前側の腹部区域および後側の背中区域と、腹部区域と背中区域の間で縦方向に延び、腹部区域および背中区域に取外し不能に接合された、吸収体を有する股区域とを備える、身体の排泄物を受容するためのパンツ型の失禁用品に関するものであり、股区域と腹部区域と背中区域はいずれも失禁用品の足開口部を区切っている。このような種類の３つのコンポーネントからなる失禁用品は、たとえば国際公開第２００４／０５２２６０Ａ１号から公知である。この特別な製品コンセプトでは、縦方向に延びる股区域が、実質的に横方向または腰回り方向に延びる腹部区域および同様に延びる背中区域と接合された後に、これら３つのコンポーネントが平坦に展開された状態のとき、失禁用品のＨ字型の基本構造を具体化することができる。この失禁用品は、股区域、腹部区域、および背中区域のコンポーネントからモジュール形式で構成されている。これらのコンポーネントはまず股区域を介して相互に結合されるのが有利であり、次いで、両側の横継目領域で腹部区域が背中区域と結合されるのが好ましい。これは製造者側での結合であり、それによってパンツ形状が得られる。このような結合は、典型的な場合、取り外し不能である。あるいはパンツ形状は、たとえば使用済みの失禁用品を要介護者から取り外すために、特に、特に横継目領域に延びることができる予定破断線に沿って分離可能であってもよい。
【背景技術】
【０００２】
パンツ型の失禁用品が、開放可能かつ閉止可能な通常のおむつ形態の失禁用品と区別されるのは、基本的に、腰回り部が設けられるのが通常であり、複数の基本サイズを前提としたうえで、用品の弾性的な伸張性によって、さまざまに異なる身体サイズに合わせた適合化が実現されることによってである。そのために通常、しばしばライクラファイバとも呼ばれる、特にテープまたはファイバの形態の弾性化手段が、事前に伸長された状態で失禁用品のシャシー材料と結合され（ストレッチボンド法）、すなわち、事前に伸長された状態でたとえば接着剤によってシャシー材料に固定される。このような弾性化手段は、初期応力をかけられている結果としてシャシー材料を収縮させ、その際にひだを形成する。そうすれば、失禁用品がパンツのように利用者に装着されたときに、失禁用品ないし失禁用品の弾性化されたシャシー材料を、再び弾性的に伸長させることができる。このような種類の弾性化されたシャシー材料を備えるパンツ型の失禁用品はいくつか知られており、たとえば上述の国際公開第２００４／０５２２６０Ａ１号でも取り扱われている。
【０００３】
パンツ型の失禁用品が開発される過程で、失禁用品のできるだけ全体的な領域を弾性的に可撓に構成し、すなわち、利用者の身体形状に即して伸長可能なように構成するのがよいということが認識されている。このことは、失禁用品の包囲部分を形成するシャシー材料の可能な限り広い部分が、特に前述したストレッチボンド法による弾性化手段の挿入によって、弾性的に伸長可能な材料または弾性化された材料を備えるように構成されるべきであるという、必ずしも妥当ではない仮定につながる。この点とは関わりなく、ないしはこの点に加えて、確実な横漏れ防止を実現するために、失禁用品の足開口部をできるだけ全体的に弾性化しようとする尽力もなされている。
【０００４】
しかしながら、特に直線状に延びる弾性化手段の挿入によるシャシー材料の弾性的な構成が、少なからぬ欠点とも結びついていることは認識されていない。確かに、シャシー材料の面状の弾性化すなわち実質的に長さ全体にわたって連続する弾性化によって、パンツ型の失禁用品をさまざまに異なる身体形状に合わせてある程度まで適合化することができ、すなわち用途に即した形状で、利用者に対して用品を位置決めすることが可能である。しかしこのことは、利用者に不快なかたちで作用する、シャシー材料における非常に強力な引張応力としばしば結びついている。その場合、弾性化手段はしばしば利用者の皮膚表面へ食い込み、このことは不快に感じられるばかりでなく、痛み、皮膚刺激、および特に湿潤気候と結び付いた皮膚の損傷さえ生じさせかねない。高い伸張応力のもとにあるシャシー材料は、しばしば利用者の皮膚表面に密着するように当接し、このことは、通気性のある材料を用いた場合でさえ、皮膚表面の領域における湿った微気候につながり、利用者の皮膚表面を考えれば同じく重大な帰結につながりかねない。すなわちそのような場合、皮膚表面に直接的に接するところに気相が形成されるのでなく、液相が形成される。それを度外視するとしても、弾性化手段の領域における強力な初期応力は強力なひだの形成につながり、すなわち、１センチメートルあたりの多数の折り目またはひだにつながる（弾性化手段の弾性作用の方向で見たとき）。そしてこのような三次元の波形構造が、弾性化手段によって及ぼされる高い応力のもとで皮膚表面に対して押圧され、特に、利用者の運動性が高い場合には相対運動を引き起こし、ひいてはこの相対運動が皮膚表面を刺激し、不快な皮膚刺激だけでなく医学的に問題のある皮膚刺激にまでつながる。
【０００５】
実質的にシャシー材料全体におよぶ面状の弾性化を実現するためにしばしば適用されているように、弾性化手段が機械方向に関して円弧状または横向きに延びているときには、常に、機械方向に対して横向きの成分があるために長い経路を製作しなくてはならず、そのために、ストレッチボンド法の過程で弾性化手段のいっそう強い初期応力が生じるという問題が生じる。このことは、典型的な場合、弾性化手段が機械方向に延びるように挿入されている領域と比べたとき、相応のシャシー領域の弾性的な伸張抵抗が強くなることにつながり、このことは、ひいてはきわめて高い程度に問題を生じる可能性がある。
【先行技術文献】
【特許文献】
【０００６】
【特許文献１】国際公開第２００４／０５２２６０Ａ１号
【発明の概要】
【発明が解決しようとする課題】
【０００７】
以上を前提とする本発明の課題は、上に説明したような問題が経験的にもっともクリティカルに現れる、失禁用品の腰縁部と反対を向いているほうの、すなわちどちらかというと股のほうを向いているほうの、腹部区域および背中区域の領域で、冒頭に述べた種類の失禁用品を装着快適性の観点から改良することにある。
【課題を解決するための手段】
【０００８】
この課題は、本発明によると、請求項１の構成要件を備える失禁用品によって解決される。
【０００９】
腹部区域と背中区域がいずれも足開口部を区切るために横中心軸に向かう方向で終わる縁部輪郭を備えるように構成されていることによって、一方では、股区域と腹部区域との間で、ないしは股区域と背中区域との間で、広い面状の重なり合いを実現することができ、このことは、失禁用品のこれら３つのコンポーネントの間の安定した結合部の形成にとって重要である。他方では、それによって足開口部に相当する輪郭線がつくられる。さらに、腹部区域および背中区域の、横中心軸に向かう方向に延びる、足開口部のほうを向く股側の領域がつくられ、そこに第２の弾性化手段を、特にその個所で望ましい応力状況に応じて挿入することができる。
腹部区域および背中区域の面状の弾性化のために、それぞれ相互間隔をおいて互いに平行に横方向または腰回り方向に延びる第１の弾性化手段が設けられている。これらの弾性化手段は等しい初期応力を有しているのが好ましく、足開口部よりも明らかに上方の領域で、腹部区域および背中区域の実質的に面状に連続する均等な弾性化の役目を果たす。それにもかかわらず、腰縁部のところで他よりも若干強い弾性化を具体化するために、第１の弾性化手段が上側の腰縁部区域で他よりも強い初期応力を有していることが可能であり、または、これらの弾性化手段のいくつかが短い相互間隔で設けられていることが可能である。
【００１０】
本発明によって、特に、腹部区域および背中区域の前述した足開口部のほうを向く股側の領域における応力状況が冒頭に述べた問題点についての原因となっていること、そして前述した問題が生じないように、もしくはわずかな程度にしか生じないように構成できることが見出された。本発明によると、第２の弾性化手段が縦中心軸に向かう方向に広がっている、足開口部のほうを向く股側の領域は、当該領域が面状に伸張したとき、その際に生じる復帰力が股領域に向かう方向で低減していくように構成されている。すなわち、このような腹部区域および背中区域の足開口部のほうを向く股側の領域に着目したとき、それぞれの横継目領域を起点として股区域に向かう方向で、すなわちいわば第２の弾性化手段が円弧状に広がる方向で、第２の弾性化手段に沿って面状に伸張したときに生じる復帰力が当該方向で低下していく。つまり、これは腹部区域および背中区域が面状の伸張に抗する力である。当然利用者にも伝わるこのような復帰力の低下は、失禁用品の装着快適性の大幅な改善と結びついている。
【００１１】
復帰力を判定するために、測定されるべきシャシーの各領域が直接的に、いわば非破壊のまま、定義された等しいクランプジョー幅をもつ２つのクランプジョーの間で固定的に挟み込まれ、測定されるべき領域が使用状態をシミュレートする定義どおりに伸張されて、特に（測定されるべき領域が固定されて引っ張られていない状態のときのクランプジョー間隔の）初期長さの３０％または５０％または８０％だけ伸張されて、復帰力が計測される。クランプジョーは、測定されるべき領域のできるだけ多くの、ただし少なくとも２つの、相並んで配置された弾性化手段を固定し、弾性化手段の形状に対して実質的に垂直方向に向いているのがよく、それにより、各クランプの間で実質的に弾性化手段が延びている方向へ伸張が行われる。
【００１２】
さらに、腹部区域および背中区域の足開口部のほうを向く股側の前記領域における復帰力の低下は、股区域に向かう方向で横方向１ｃｍあたりの数が減少していく折り目が形成されるように意図されていると、特別に好ましいことが判明している。そのような場合、腹部区域および背中区域は利用者の身体形状に即して伸張し、それによって形成される弾性力が、多数の折り目をもつシャシー材料を収縮させようとすることがない。ここで再度説明しておくと、股区域に向かう方向での復帰力の低下は、面状の伸張の結果として生成される力が、股区域に近づけば近づくほど小さくなることを意味している。つまり面状の伸張の結果としての復帰力は、横継目に近い領域において、股区域に近い領域におけるよりも大きい。
【００１３】
上述したような応力状況はさまざまな仕方で実現することができ、たとえば、第２の弾性化手段が設けられている足開口部のほうを向く股側の領域で、横方向で弾性の相違する材料を使用することによって実現することができる。第２の弾性化手段の初期応力が股区域に近づくにしたがって、すなわち外側から内側へ縦中心軸に向かう方向で、低下していくことも考えられよう。さらに、第２の弾性化手段相互の間隔が増していくことによって、面状に伸張したときの復帰力の低下を実現することも考えられるが、この場合に留意すべきなのは、弾性化手段の扇形の形状の結果としての初期応力の大幅な増加によってそれが相殺されたりせず、ましてや復帰力が増す方向に凌駕されたりしないことである。
【００１４】
第２の弾性化手段の最小の相互間隔（直接相並んで位置するそれぞれの弾性化手段の間隔）が、横継目領域において３から８ｍｍ、特に３から７ｍｍ、さらには特に３から６ｍｍであると、特に有利であることが判明している。
【００１５】
さらに、第２の弾性化手段の最大の相互間隔（直接相並んで位置するそれぞれの弾性化手段の間隔）が、吸収体縁部において、または股区域の縦縁部において７から３５ｍｍ、特に１０から３２ｍｍ、さらには特に１２から３０ｍｍであると、有利であることが判明している。
【００１６】
さらに、第２の弾性化手段が５０から９００％、特に１００から７００％、さらには特に１５０から５５０％の広がり度
Ｆ＝（Ａ−Ｂ）／Ｂ＊１００％
を有していると有利であることが判明している。
【００１７】
このとき広がり度Ｆは、最小間隔（Ｂ）に対する間隔増加（Ａ−Ｂ）の比率として百分率で定義される。ここでの量ＡおよびＢは、縦方向で見てもっとも外側にある第２の弾性化手段と、縦方向で見てもっとも内側にある第２の弾性化手段との間隔として定義され（つまり、直接相並んで位置する第２の弾性化手段の間隔ではない）、Ａは、特に股区域の縦縁部または吸収体縁部における最大間隔として定義され、Ｂは、特に横継目領域における最小間隔として定義される。
【００１８】
第２の弾性化手段の広がり度Ｆが、背中区域では腹部区域よりも大きいと有利であることも見出されている。
【００１９】
利用者の背中領域ないし腹部領域における自然な身体形状に基づき、ここでテーマとして取り上げている問題は、典型的な場合、背中領域においていっそう重大であることが判明している。その意味で、吸収体縁部における、または股区域の縦縁部における、第２の弾性化手段の相互の最大間隔（直接相並んで位置する弾性化手段の間隔）が、背中領域において腹部領域よりも広くなっていると有利であることが判明している。
【００２０】
第２の弾性化手段が、一方の横継目領域から他方の横継目領域へと連続して延びていることも十分に考えられ、このことは特に、連続式の製造方法における挿入を「カットアンドプレース」プロセスに比べて簡素化する。腹部区域および背中区域で股区域が覆われる結果、典型的な場合、材料稠密な吸収体と、腹部区域および／または背中区域との間で、およびこれに伴って腹部区域および背中区域の、足開口部のほうを向く股側領域のうち第２の弾性化手段が延びているところとの間でも、重なり合いまたは被覆も生じることになる。このとき材料稠密な吸収体は、通常、シャシー材料の弾性的な伸張性を妨げる。さらに、材料稠密な吸収体が追加の引張力で付勢されることは、必ずしも有利ではない。したがって第２の弾性化手段が、股区域の吸収体との重なり合い領域で、その弾性特性に関して無効化されていると有利である場合があることが判明している。このような無効化は、たとえば吸収体と重なり合う領域で、第２の弾性化手段を通過する複数の分離切断部によって具体化することができ、この場合、たとえば超音波溶接やレーザのようなその他の分離方法も考えられる。
【００２１】
付言しておくと、第１の弾性化手段も吸収体との重なり合いの領域で、その弾性特性に関して無効化されていてよい。
【００２２】
すでに指摘したとおり、第２の弾性化手段は本発明に基づいて惹起されるべき応力状況に関わりなく、広がっている形状の経路に応じて、実質的に相互に等間隔に機械方向に延びている広がっていない領域よりも、失禁用品の製造時に強い伸張およびこれの伴う高い初期応力にさらされる可能性がある。このような強い初期応力は、典型的な場合、第２の弾性化手段の挿入の結果として、周知であるので具体的には説明しないストレッチボンド法で生じる可能性がある。
【００２３】
失禁用品の全体的寸法に関しては、股のほうを向く、腹部区域のもっとも内側の第２の弾性化手段と、これに対応する股のほうを向く、背中区域のもっとも内側の第２の弾性化手段との間隔（Ｃ）が、２５０から４２０ｍｍであると有利であることが判明している。
【００２４】
股のほうを向くもっとも内側の第２の弾性化手段と、腹部区域および背中区域の足開口部をほうを向く股側の領域の、足開口部を区切っている縁部輪郭との間隔は好ましくは２〜４０ｍｍであり、さらに好ましくは３〜３０ｍｍであり、特に好ましくは４〜１５ｍｍである。
【００２５】
第１および／または第２の弾性化手段として、ファイバ状またはテープ状の弾性化手段、たとえばゴムまたはポリエーテルポリウレタンまたはポリエステルポリウレタンなどのファイバ、好ましくはＬｙｃｒａファイバ（登録商標）やＳｐａｎｄｅｘ（登録商標）ファイバのような弾性糸が用いられるのが好ましい。
第１および／または第２の弾性化手段は、３００〜１５００ｄｔｅｘの番手、特に５００〜９００ｄｔｅｘの番手、さらには特に５００〜６００ｄｔｅｘの番手を有しているのが好ましい。
【００２６】
第１および／または第２の弾性化手段は、１．５〜６．０の初期応力、特に２．５〜５．０の初期応力のもとで、腹部区域および背中区域のシャシーを形成する包囲材料に固定されるのが好ましい（ストレッチボンディング）。このとき初期応力は、弾性化手段の伸長していない状態／弛緩した状態に対する伸張度の係数として定義される。
【００２７】
横継目領域における腹部区域および背中区域の縦方向の長さは少なくとも１００ｍｍ、特に少なくとも１５０ｍｍ、特に１５０ｍｍから２２０ｍｍであるのが好ましい。
【００２８】
縦方向における腹部区域と背中区域の相互の最小間隔は２５０から４００ｍｍであるのが有利である。
【００２９】
横方向における股区域の最大の長さは２００から３５０ｍｍ、特に２５０から３２０ｍｍであるのが好ましい。
【００３０】
股区域は、液体不透過性のバックシート材料と不織布トップシート材料とを含んでおり、これらの間に吸収体が配置されているのが有利である。この場合、バックシート材料と不織布トップシート材料は、いわば股区域のシャシーを形成する。特別な意義のある本発明の発展例では、バックシート材料および／またはトップシート材料は横方向で吸収体から突き出すオーバーハングを形成しており、このオーバーハングが、吸収体の両側の合計で、すなわち左と右の合計で、股区域の最大幅に対して（すなわち横方向における股区域の最大長さに対して）少なくとも２５％、特に３０〜４５％、さらには特に３５〜４５％であると好ましいことが判明している。
【００３１】
すなわち、吸収体の両側におけるこのようなバックシート材料および／またはトップシート材料の比較的大きいオーバーハングは、比較的幅狭の吸収体を備える幅広の股区域を意味している。それにより、足開口部に沿って延びる足弾性化手段を、材料稠密かつそれに伴って曲げ剛性の高い吸収体に対して比較的広い間隔を有する股区域に設けることが可能である。ひいてはその結果として、股区域の両側の足開口部縁部の良好な密閉性と適合性が得られる。つまりこのような場合、薄いシャシー材料に比べてねじり剛性の高い材料稠密な吸収体が、液密な足閉止部の形成をわずかにしか妨げることがない。したがって、液密な足閉止部を形成するために極端に高い応力を適用する必要がなく、このことは、ひいては失禁用品の装着快適性にプラスの影響を及ぼす。
【００３２】
本発明のさらに別の構成では、足弾性化手段が縦方向で少なくとも１０ｍｍだけ、特に少なくとも２０ｍｍだけ、第２の弾性化手段の手前で終わっていると特別に有利であることが判明している。足弾性化手段が縦方向で腹部区域および／または背中区域の手前で終わっていると特に有利である。したがって、それにより及ぼされる応力と復帰力は、広がっている第２の弾性化手段が設けられた、腹部区域および背中区域の足開口部のほうを向く股側の領域の内部で、本発明に基づいて意図される応力状況に影響を及ぼすことがない。
【００３３】
足弾性化手段として、ファイバ状またはテープ状の弾性化手段、たとえばゴムまたはポリエーテルポリウレタンまたはポリエステルポリウレタンなどのファイバ、好ましくはＬｙｃｒａファイバ（登録商標）やＳｐａｎｄｅｘ（登録商標）ファイバのような弾性糸が用いられるのが好ましい。足弾性化手段は、３００〜１５００ｄｔｅｘの番手、特に５００〜１２００ｄｔｅｘの番手、さらには特に５００〜９００ｄｔｅｘの番手を有しているのが好ましい。
【００３４】
足弾性化手段は、１．５〜６．０の初期応力、特に２．５〜４．５の初期応力のもとで、股区域のシャシーを形成する包囲材料に固定されるのが好ましい。
【００３５】
この点とは関わりなく、腹部区域と背中区域が少なくとも吸収体の外部で縦方向へ実質的に連続するように面状に横弾性化されていると有利であることが判明しており、このような場合にも、本発明による応力状況を遵守ないし具体化することができる。
【００３６】
腹部区域および／または背中区域のシャシーを形成する材料は、たとえばスパンボンド不織布、カード不織布、スルーエアボンド製法のカード不織布のような不織布材料を含んでいるのが好ましい。腹部区域および／または背中区域のシャシーを形成する材料は、スパンボンド不織布材料を含んでいるのが特別に好ましい。腹部区域および／または背中区域に使用される不織布材料は、１０〜３０ｇ／ｍ２、さらに好ましくは１５〜２５ｇ／ｍ２の単位面積あたり重量を有しているのが有利である。腹部区域および背中区域は、特に１５〜２５ｇ／ｍ２の単位面積あたり重量を有する、ポリプロピレンからなるスパンボンド不織布を含んでいるのが特別に好ましい。
【００３７】
股区域は、液体不透過性のバックシート材料と不織布トップシート材料とを含んでいるのが有利である。バックシートは、特に、特に１８〜４０ｇ／ｍ２の単位面積あたり重量のフィルムを含んでいる。特にバックシートは、使用時に液密であるにもかかわらず通気性のある、すなわち水蒸気透過性である、特にマイクロポアをもつフィルムを含んでいる。バックシートの水蒸気透過性は、ＤＩＮ５３１２２−１（発行：２００１年８月）に基づいて測定したとき、特に少なくとも３００ｇ／ｍ２／２４ｈ、さらには特に少なくとも１０００ｇ／ｍ２／２４ｈ、さらには特に少なくとも２０００ｇ／ｍ２／２４ｈ、さらには特に少なくとも３０００ｇ／ｍ２／２４ｈ、さらには特に少なくとも４０００ｇ／ｍ２／２４ｈ、さらには特に多くとも６０００ｇ／ｍ２／２４ｈであるのが好ましい。
【００３８】
吸収体は、体液を吸収する材料を含んでおり、たとえば天然糸または合成糸、特に、好ましくはセルロースフラッフの形態のセルロースファイバを含んでいる。さらに吸収体は、特に表面架橋されて部分中和されたポリアクリレートをベースとする超吸収性材料（ＳＡＰ）を含んでいるのが好ましい。
【００３９】
さらに、失禁用品の面積全体に占める股区域の面積割合が２５〜５５％であり、股区域が腹部区域の面積の少なくとも１２％と重なり合うとともに、背中区域の面積の少なくとも２０％と重なり合っていると有利であることが判明している。面積割合は、図１に示すように、シャシー材料がそれぞれ展開された状態のときに計測したものである。
【００４０】
股区域が腹部区域の面積の１５〜４０％、特に１５〜３５％、さらには特に１５〜２５％と重なり合っていると有利であることが判明している。
【００４１】
さらに、股区域が２５，０００〜４５，０００ｍｍ２の面積で腹部区域と重なり合っていると有利であることが判明している。
【００４２】
さらに、股区域が背中区域の面積の２０〜４０％、特に２０〜３５％、さらには特に２２〜３２％と重なり合っている有利であることが判明している。
【００４３】
さらに、股区域が３５，０００〜６５，０００ｍｍ２の面積で、特に４０，０００〜５５，０００ｍｍ２の面積で背中区域と重なり合っていると有利であることが判明している。
【００４４】
さらに、股区域と背中区域との重なり合いが、腹部区域との重なり合いよりも大きいと有利であることが判明している。
【００４５】
股区域ないし足開口部を区切っている股区域の縦縁部は、円弧状に輪郭づけられて構成されているのが有利である。
【００４６】
さらに、吸収体も腹部区域の面積の５〜２０％、特に５〜１５％と重なり合っており、および／または背中区域の面積の１０〜２０％、特に１０〜１５％と重なり合っていると有利であることが判明している。
【００４７】
本発明の上記以外の構成要件、具体的事項、および利点は、添付の特許請求の範囲、図面の表示、本発明による失禁用品の好ましい実施形態についての以下の説明から明らかとなる。
【図面の簡単な説明】
【００４８】
【図１】本発明による失禁用品を示す平面図であり、失禁用品の腹部区域、背中区域、およびこれら両方をつなぐ股区域はまだパンツ形状を形成するために結合されておらず、平坦に置いて展開された状態で図示されている。
【図２】図１の失禁用品を示す部分図である。
【図３】図１の失禁用品の股区域を、同じく平坦に置いて展開された状態で示す平面図である。
【図４】図３のＩＶ−ＩＶ切断面を含む股区域の横中心軸に沿った断面図（模式的）である。
【図５】バリア手段が展開されて起立している、図３のＶ−Ｖ切断面を含んでいる、図４に対応する股区域の断面図（模式的）である。
【図６】利用者に当てつけられた図１の失禁用品を示す斜視図（模式的）である。
【図７】股区域と腹部区域ないし背中区域の結合部を図解するために本発明による失禁用品を示す図１に対応する平面図である。
【図８】本発明による失禁用品の腹部区域ないし背中区域における復帰力の計測を一例として示す図である。
【図９】本発明による失禁用品の腹部区域ないし背中区域における復帰力の計測を一例として示す図である。
【発明を実施するための形態】
【００４９】
各図面は、固体および液体の身体排泄物を受容するための、全体として参照符号２が付されたパンツ型の失禁用品を示している。失禁用品２は、ほぼ互いに独立して製作可能な３つのコンポーネントで構成されており、すなわち、前側の腹部区域４と、後側の背中区域６と、これらの間に配置され、吸収体７を有している股区域８とで構成されており、股区域８は、一方の腹部区域４および他方の背中区域６の主要な面積割合と重なり合っており、重なり合い領域で製造者の側により取外し不能に結合されている。図１を見ると明らかなように、このことは縦方向９を有する失禁用品のＨ字型の基本構造につながる。そして、図１に示す相互に接合された各構成要素が、図６に模式的に示すパンツ形態を形成するために、腹部区域４および背中区域６のそれぞれ側方の縦縁部区域１０、１２のところで、同じく製造者の側により相互に結合され、それによって両側に横継目領域１４（図６）が形成される。このように製造者側で製作された失禁用品がパンツ型の状態のとき、腹部区域４と背中区域６は横方向または腰回り方向１６で連続して横継目領域１４まで延びており、そのようにして、腰回り方向で閉じた腰開口部１８および足開口部１９を定義し、利用者はこれらの開口部を通してパンツのように失禁用品を装着する。
【００５０】
腹部区域４は、腰側の領域２０と、足開口部のほうを向く股側の領域２２とに下位区分することができる。これに対応する下位区分は背中区域６でも意図されており、同じく腰側の領域２４と、足開口部のほうを向く股側の領域２６とに下位区分される。
【００５１】
腹部区域４の腰側の領域２０、および背中区域６の腰側の領域２４には、第１の弾性化手段２８が設けられており、これらは特にＬｙｃｒａファイバのようなファイバ状の弾性化手段であってよく、事前に伸張された状態で、いわゆるストレッチボンド法で、腹部区域４および背中区域６の平坦材料（シャシー材料）と結合されている。この第１の弾性化手段２８は、横方向または腰回り方向１６で、一方の横継目領域１４から他方の横継目領域まで延びている。
【００５２】
腹部区域４ないし背中区域６の足開口部１９のほうを向くそれぞれの股側の区域２２、２６は、横方向または腰回り方向１６とは異なる、股区域８の横中心軸３０に向かう方向で終わる縁部輪郭３２ないし３４を有している。これらの縁部輪郭３２、３４は図１の図面でも円弧状であり、したがって足開口部１９を区切るのに適している。足開口部のほうを向く股側の領域２２ないし２６のこのような形状により、股区域８と腹部区域４ないし背中区域６との間で比較的広い重なり合い領域３６、３８が具体化され、このような重なり合い領域は、股区域８と腹部区域４ないし背中区域６との引裂きに強い結合という観点から重要である。重なり合い領域３６、３８が広くなるほど、重なり合い領域の面積に対して少ない接着剤量を使用することができ、このことは、シャシー材料の剛性の観点から有利に作用する。特に、各コンポーネントを結合するために、全面的ではない接着剤塗布を採用することができる。
【００５３】
腹部区域４ないし背中区域６の足開口部１９のほうを向くそれぞれ股側の領域２２、２６は、同じく弾性化されて構成されている。そこには第２の弾性化手段４０ないし４２が設けられている。第２の弾性化手段４０、４２は、それぞれ横継目領域１４を起点として、失禁用品の縦中心軸４４に向かう方向に延びている。図１および図２を見るとわかるように、第２の弾性化手段４０、４２は縦中心軸４４に向かう方向で広がっている。このことは、それぞれの弾性化手段の間の間隔が、縦中心軸４４に向かう方向で大きくなることを意味している。このような第２の弾性化手段４０ないし４２の広がりについて、図２を参照しながら量的な面も含めて詳しく説明する。一例として図２に示す背中区域６の第２の弾性化手段４２は、横継目領域１４では３から８ｍｍの最小の相互間隔（直接的に相並んで位置する弾性化手段の間隔）を有しており、吸収体縁部４６のところでは、または股区域８の縦縁部４８のところでは、７から３５ｍｍの最大の相互間隔（直接的に相並んで位置する弾性化手段の間隔）を有している。図２を参照すると、広がり度Ｆを次のように定義することができる：
Ｆ＝（Ａ−Ｂ）／Ｂ＊１００％
【００５４】
この広がり度は有利には５０から９００％の間であり、特に１００から７００％の間であり、さらには特に１５０から５５０％の間とすることができる。広がり度は背中区域６において、腹部区域４よりも大きいのが有利である。このとき大きさＡおよびＢは、縦方向９で見てもっとも外側にある第２の弾性化手段４０、４２と、縦方向９で見てもっとも内側にある第２の弾性化手段４０、４２との間隔として定義され（つまり、直接相並んで位置する弾性化手段の間隔ではない）、Ａは、特に股区域８の縦縁部４８における最大間隔として定義され、Ｂは、特に横継目領域１４における最小間隔として定義される。
【００５５】
第２の弾性化手段４０、４２における広がり度が十分に大きく選択されていれば、そのようにして、足開口部１９のほうを向く股側の領域２２ないし２６の内部で、股区域８に向かう方向５６で低下していく復帰力を具体化することができ、その理由は、腰回り方向または横方向１６とは異なる第２の弾性化手段４０、４２の円弧状の形状の結果、そのような第２の弾性化手段４０、４２の比較的長い経路の結果としての初期応力の大きすぎる増大が生じないように配慮されるからである。さらに、該当する股側の領域２２ないし２６の、横継目領域１４の近くに位置している領域５０と、股区域８の近くに位置している領域５２とに着目してみると、領域５２が面状に伸張したとき（弾性化手段４２の方向の伸張）に生じる復帰力は、領域５０が伸張したときに生じる復帰力よりも小さい。さらにこのことは、たとえば前述したケースにおいて第２の弾性化手段４０、４２によって及ぼされる小さい弾性力の結果として、腹部区域４および背中区域６のシャシー材料がさほど強く引っ張られないことにつながるという利点があり、それにより、それぞれの横継目領域１４を起点として股区域８へ向かう方向で、折り目／ひだ５４の数も少なくなる。腹部区域４および背中区域６の足開口部のほうを向く股側の領域２２ないし２６で腹部区域が面状に伸張したときに生じる復帰力が、矢印５６の方向で、すなわち一般的には横継目領域１４から股区域８に向かう方向で、低下していくことによって、装着快適性の大幅な改善が実現される。そのような領域でこそ（本発明により確認されたように）弾性的に伸張可能な材料が特別に問題となるからであり、こうした材料は、人間の身体形状の特徴に即して、これらの領域で特別に引張と伸張の負荷をうけるからである。本発明に基づいて意図的に設けられるこのような復帰力の低減により、すなわち矢印５６の方向つまり股区域８へ次第に近づいていく方向で低下していく復帰力により、以前には実現されていなかった自由度が創出され、これによって冒頭に述べた問題がより良く克服される。
【００５６】
冒頭で説明したとおり、復帰力は失禁用品のシャシーで直接計測することができる。そのために、腹部区域４または背中区域６の該当する領域が、定義された等しいクランプジョー幅（ｂ）をもつ２つのクランプジョー１０２、１０４（図８参照）の間に挟み込まれ、そして、測定されるべき領域を定義されたとおりに使用状態をシミュレートするように伸張をさせて、特に初期長さ（応力をかけていない状態のクランプジョー間隔）を３０％または５０％または８０％だけ伸張させて、復帰力が判定される。このときクランプジョー１０２、１０４は、それぞれ互いに離れるように動く。クランプジョー１０２、１０４は、測定されるべき領域のできるだけ多くの、ただし少なくとも２つの、相並んで配置された弾性化手段４０、４２を固定するのがよく、また、弾性化手段の延びる方向に対して実質的に直角に向いているのがよく、それにより、各クランプジョー１０２、１０４の間での伸張が、すなわちクランプジョー１０２、１０４の離れていく運動が、実質的に弾性化手段の延びる方向に行われることになる。その様子は図８に示されている。
【００５７】
失禁用品２の図示した好ましい実施形態では、股のほうを向くもっとも内側にある腹部区域４の第２の弾性化手段４０と、これに対応して股のほうを向くもっとも内側にある背中区域６の第２の弾性化手段４２との間隔Ｃは、失禁用品の断裁サイズに応じて２５０から４２０ｍｍの間である。第２の弾性化手段４０、４２は、実質的に、腹部区域４および背中区域６の股のほうを向く横縁部５８、６０まで延びている。縦方向（９）における腹部区域４と背中区域６の相互間隔は、２５０〜４００ｍｍである。
【００５８】
股のほうを向くもっとも内側にある第２の弾性化手段４０、４２と、腹部区域４および背中区域６の足開口部のほうを向く股側の領域２２、２６の、足開口部を区切っている縁部輪郭３２、３４との間隔は、好ましくは２〜４０ｍｍ、さらに好ましくは３〜３０ｍｍ、特に好ましくは４〜１５ｍｍである。
【００５９】
横継目領域１４における腹部区域４および背中区域６の縦方向９の長さは、１００から２２０ｍｍの間であるのが有利である。横方向１６における股区域８の最大長さは、２００から３５０ｍｍであるのが有利である。
【００６０】
股区域８は、特に通気性があるが液密であるフィルム材料で形成されていてよい液体不透過性のバックシート材料６２と、好ましくは不織布をベースとするトップシート材料６４とを含んでいる。バックシート材料とトップシート材料の間には、図４、図５から明らかなように、吸収体７が配置されている。一例として図示している事例では、バックシート材料６２は、横方向１６で吸収体７から突き出すオーバーハング６６を形成している。トップシート６４は横方向で比較的少ししか吸収体７から突き出していないが、吸収体７の両側には、縦方向９に延びて屹立するバリア手段６８がそれぞれ設けられており、このバリア手段は典型的には屹立するカフ部材またはカフス部材と呼ばれ、好ましくは疎水性の、特に液体不透過性の不織布材料で形成されており、この不織布材料が、横方向１６で好ましくは股区域８の側方の縦縁部４８まで延びている。バリア手段６８の遠位端７０はさらに別の弾性化手段７２を備えており、この弾性化手段は、失禁用品の使用時にバリア手段６８を利用者の皮膚表面に向かって持ち上げ、その様子は図５に模式的に示されている。側方のバリア手段６８はそれぞれの縦方向端部領域７４のところで、模式的に図示している固定部７６、７８を介してトップシート６４の上に、ないしはそれ自体の上に、Ｃ字型に折り畳まれた構成で固着されている。この場合、図４でそれぞれ内側に位置している固定部７８はバリア手段６８をそれ自体の上に固着するのが好ましく、すなわち横方向１６で見て、縦方向９に連続して延びるカフ基底線８０を形成する外側の固定部７６の内部で固着するのが好ましく、かつ望ましい。それに対して内側の固定部７８は、バリア手段６８の縦方向端部領域７４にのみ設けられている。
【００６１】
このとき、吸収体７に対するバックシート材料６２および／またはトップシート材料６４の前述したオーバーハング６６は、吸収体の両側の合計すなわち左と右の合計で、股区域８の最大幅に対して少なくとも２５％であると特別に有利であることが判明している。すなわち、このようにして横方向１６で、足開口部１９に沿って延びる足弾性化手段８２を配置するためのスペースができる。すなわち足弾性化手段８２は、材料稠密であるためにどちらかというと曲げ剛性が高い吸収体７に対して、ある程度の間隔をおいて延びていると有利であることが判明しており、それにより一方では、吸収体の吸収挙動にマイナスの影響を及ぼす恐れがある、追加の伸張力またはねじり力を吸収体に及ぼすことがなく、また他方では、吸収体による影響をほぼ受けない液密な足密閉を具体化する。説明している事例では、この足弾性化手段８２は縦方向９で、腹部区域４ないし背中区域６の第２の弾性化手段４０および４２よりも手前で、特に少なくとも１０ｍｍ、好ましくは少なくとも２０ｍｍの明らかな間隔をおいて終わっているのが特別に有利であることが判明している。これらの足弾性化手段８２は縦方向９で、腹部区域４および背中区域６よりも手前で終わっているのが好ましい。このことは、そのような場合に足弾性化手段８２が腹部区域４および背中区域６の応力挙動にさほど影響を与えず、もしくはまったく影響を与えないという理由から有利かつ重要である。すなわち、本発明で達成されるべきである装着快適性の改善という目的の観点からすると、他ならぬ腹部区域４および背中区域６の足開口部１９のほうを向く股側の領域２２および２６こそが、そこで通常高い初期応力および相応の高い復帰力を有するように構成される足弾性化手段８２が追加的に延びていると、不都合であることが見出されたのである。
【００６２】
図１から明らかなように、股区域８では横方向で比較的大きいオーバーハング６６が吸収体７に対して具体化されており、それは特に、腹部区域４ないし背中区域６のほうを向く股区域８の領域においてである。それにより、すでに指摘したとおり、股区域８と腹部区域４および背中区域６との比較的広い重なり合い領域３６、３８が実現される。１つの好ましい実施態様では、股区域８と腹部区域４との重なり合い領域３６は、腹部区域４の面積の少なくとも１２％を有しており、股区域８と背中区域６との重なり合い領域３８は、背中区域６の面積の少なくとも２０％を有している。このことが有利であると判明している理由は、そのような場合、たとえ全面的な接着剤塗布が適用されなくても、腹部区域４ないし背中区域６における股区域８の確実な固定を実現できるからである。そのような場合、区域的または格子状の接着剤塗布が結合のために適用されるだけで足りるという利点がある。このことが有利である理由は、相互に接合される材料の剛性が高くなりすぎないからである。
【００６３】
図１に対応する図７を参照して、本発明による失禁用品のさらに有利な詳細について説明する。本発明による失禁表品を製造するための３コンポーネント構想を追求することで、股区域８と腹部区域４との間のオーバーハング９０、ならびに股区域８と背中区域６との間のオーバーハング９２が生じ、これらのオーバーハングでは、通常、足開口部１９を区切っているシャシー材料の縁部の不連続の形状すなわちコーナーや曲がり角や屈曲部を備える形状が生じる。このことは、オーバーハング９０、９２の領域でシャシー材料の引き裂きにつながりかねない力のピークが生成され、このことが腹部区域４ないし背中区域６への股区域８の接合に悪影響を及ぼしかねないという危険をもたらす。これに対処するために、それぞれのオーバーハング９０および９２には、股区域８の液体不透過性のバックシート材料６２の補強被覆９４、９６が設けられている。この補強被覆９４、９６は、図７の破線でそれぞれ示した領域にだけ設ければ十分であることが判明している。補強被覆９４、９６は、一例としての図示した好ましい事例では、縦方向９で約１０から２０ｍｍだけ、特に約１５ｍｍだけ、腹部区域４および背中区域６と重なり合っている。補強被覆は、縦方向９でそれぞれ股区域の縦方向端部９８、１００よりも手前で終わっており、すなわち、腹部側の縦方向端部９８より少なくとも３０ｍｍ手前、背中側の縦方向端部１００より少なくとも９０ｍｍ手前で終わっている。このことが有利であると判明している理由は、そのような場合、有益であるどころかむしろ望ましくなく不都合な領域で補強被覆９４、９６が不必要にシャシー材料の剛性化に寄与することがないからである。さらに、そのようにして材料費を節減することができる。ただし、補強被覆９４、９６をオーバーハング９０ないし９２以外にも設けるという選択肢が否定されるわけではない。
【００６４】
補強被覆９４、９６は不織布でできているのが好ましく、特に、単位面積あたり重量が特に１０〜２０ｇ／ｍ２、特に１２〜１７ｇ／ｍ２である、ポリプロピレンからなるスパンボンド不織布でできているのが好ましい。
【図１】
0005389041.tif 000002
【図２】
0005389041.tif 000003
【図３】
0005389041.tif 000004
【図４】
0005389041.tif 000005
【図５】
0005389041.tif 000006
【図６】
0005389041.tif 000007
【図７】
0005389041.tif 000008
【図８】
0005389041.tif 000009